(57)【特許請求の範囲】
【請求項１】
現像済みフイルムが巻き取られているカートリッジを収納するカートリッジ収納部と、前記カートリッジ収納部に開閉自在に取り付けられ開放されることにより前記カートリッジが該カートリッジ収納部に出し入れされる内蓋と、前記カートリッジ収納部に設けられ該カートリッジ収納部に収納される前記カートリッジのスプールに係合する回転軸を有するフイルム供給手段と、前記フイルム供給手段から供給されるフイルムを巻き取る巻取軸を有するフイルム巻取手段と、前記フイルム供給手段とフイルム巻取手段との間に形成されて前記フイルムのコマ画像を露出する開口部と、前記開口部に位置したコマ画像の画像光を観察用窓或いは撮像手段に導く光学系とを備え、フイルム観察装置の本体ケース内に装着されるフイルム観察用ユニットと、
前記フイルム観察装置の本体ケースの前面に取り付けられ、その表面に複数の操作ボタンが形成された操作パネルと、
前記操作パネルに開閉自在に取り付けられると共に前記フイルム観察用ユニットの内蓋に対応した位置に設けられた前記フイルムカートリッジの外蓋と、を有し、
前記内蓋と前記外蓋とは着脱自在に係合されると共に外蓋の開閉動作に連動して内蓋が開閉されることを特徴とするフイルム観察装置のフイルムカートリッジ用出入蓋構造。
【発明の詳細な説明】
【０００１】
【発明の属する技術分野】
本発明は、フイルム観察装置のフイルムカートリッジ用出入蓋構造に係り、特にカートリッジに収納されたフイルムをカートリッジから引き出して観察するフイルムビューアやフイルム画像処理装置等のフイルム観察装置に適用されるフイルムカートリッジ用出入蓋構造に関する。
【０００２】
【従来の技術】
最近では、フイルムを分断せずにカートリッジ内に収納し、このカートリッジをプリント写真と共にＤＰＥ取扱店からユーザーに返却するＡＰＳ（Advanced  Photo System）システムが提案されている。このような形態で返却されたフイルムでは、プリント写真の焼き増し依頼時に、従来の如くネガシースを介してコマ画像を観察することができないため、そこで本願出願人は、カートリッジからフイルムを引き出し、コマ画像を観察できるようにしたフイルムビューアやフイルム画像処理装置等のフイルム観察装置を提案している。
【０００３】
このようなフイルム観察装置は、フイルム観察用ユニットがフイルム観察装置の本体ケース内に設置され、また、複数の操作ボタンが形成された操作パネルが前記本体ケースの前面に取り付けられている。
前記フイルム観察用ユニットは、カートリッジ収納部と、カートリッジ収納部に収納されたカートリッジのフイルムを供給するフイルム供給部と、供給されるフイルムを巻き取るフイルム巻取部と、フイルム供給部とフイルム巻取部との間に形成されてフイルムのコマ画像を露出する開口部と、開口部に位置したコマ画像の画像光を観察用窓（フイルムビューアの場合）、又は固体撮像素子（フイルム画像処理装置の場合）に導く光学系とを備えている。
【０００４】
また、前記カートリッジ収納部には、カートリッジの出入蓋が設けられる。この出入蓋は、カートリッジの未露光表示部を検出するピンや、カートリッジのスプールに係合するピン等が配置され、複雑な形状に形成されている。この出入蓋に対応した操作パネルの位置は、カートリッジが出し入れされるように開口されている。
【０００５】
【発明が解決しようとする課題】
前述したように、フイルム観察装置のフイルム観察用ユニットは、カートリッジ収納部に設けた複雑な形状の出入蓋が、操作パネルの開口部から露出してしまうので、これに化粧板を施す必要がある。
しかしながら、前記出入蓋に化粧板を取り付けると、この化粧板と周囲の操作パネルとの一体感が保てなくなるという欠点がある。
【０００６】
本発明はこのような事情に鑑みてなされたもので、フイルム観察用ユニット側に設けられた内蓋と、操作パネル側に設けられた外蓋とでフイルムカートリッジの出入蓋を２重蓋構造にして、内蓋と外蓋とを連動させて開閉させることができるフイルム観察装置のフイルムカートリッジ用出入蓋構造を提供することを目的とする。
【０００７】
【課題を解決するための手段】
本発明は前記目的を達成するために、現像済みフイルムが巻き取られているカートリッジを収納するカートリッジ収納部と、前記カートリッジ収納部に開閉自在に取り付けられ開放されることにより前記カートリッジが該カートリッジ収納部に出し入れされる内蓋と、前記カートリッジ収納部に設けられ該カートリッジ収納部に収納される前記カートリッジのスプールに係合する回転軸を有するフイルム供給手段と、前記フイルム供給手段から供給されるフイルムを巻き取る巻取軸を有するフイルム巻取手段と、前記フイルム供給手段とフイルム巻取手段との間に形成されて前記フイルムのコマ画像を露出する開口部と、前記開口部に位置したコマ画像の画像光を観察用窓或いは撮像手段に導く光学系とを備え、フイルム観察装置の本体ケース内に装着されるフイルム観察用ユニットと、前記フイルム観察装置の本体ケースの前面に取り付けられ、その表面に複数の操作ボタンが形成された操作パネルと、前記操作パネルに開閉自在に取り付けられると共に前記フイルム観察用ユニットの内蓋に対応した位置に設けられた前記フイルムカートリッジの外蓋と、を有し、前記内蓋と前記外蓋とは着脱自在に係合されると共に外蓋の開閉動作に連動して内蓋が開閉されることを特徴としている。
【０００８】
本発明によれば、内蓋をフイルム観察用ユニットのカートリッジ収納部に設け、外蓋を操作パネルに設けることにより出入蓋を２重構造に構成し、内蓋と外蓋とは、着脱自在に係合して外蓋の開閉動作に連動して内蓋が開閉する。
【０００９】
【発明の実施の形態】
以下添付図面に従って本発明に係るフイルム観察装置のフイルムカートリッジ用出入蓋構造の好ましい実施の形態について詳説する。
図１は本発明に係るフイルム観察装置のフイルムカートリッジ用出入蓋構造が適用されたフイルムビューアの実施の形態を示す斜視図である。また、図２は図１に示したフイルムビューアの分解斜視図である。
【００１０】
これらの図面に示すフイルムビューア１０の本体ケース１２は、下部が開放された上カバー１４と、この下部開放部の蓋である底板１６とから構成される。フイルムビューア１０のカートリッジ挿入部１８には、蓋２０が設けられている。この蓋２０は、内蓋２２と外蓋２４とから構成されている。前記内蓋２２は図２に示すように、フイルム観察用ユニット２６のカートリッジ収納部２８に開閉可能に設けられている。外蓋２４は図１に示すように、上カバー１４の上面開口部１４Ｂに開閉可能に設けられている。また、外蓋２４は、上カバー１４と外観上バランスのとれた見栄えの良い形状に形成されている。前記内蓋２２と外蓋２４とは、連動して開閉するように係合されている。この内蓋２２と外蓋２４との連結構造については後述する。
【００１１】
前記蓋２０を開放したのち、カートリッジ３０は、スプール３２と直交する基準面３４を先頭にしてカートリッジ収納部２８に挿入される。このカートリッジ３０の挿入により、カートリッジ収納部２８内に設けられているポップアップ機構のポップアップ部材（図示せず）が押し下げられ、また、カートリッジ３０を挿入した後、蓋２０を閉じると、蓋２０がロックされる。
【００１２】
前記収納部２８に収納されるカートリッジ３０は、図３に示すタイプのものであり、カートリッジ３０を構成する胴体部３６、スプール３２、及び遮光部材３８等の全ての部材がプラスチックで形成されている。そして、カートリッジ３０は、フイルム４０（図４参照）を先端まで前記スプール３２に巻き込んでおき、使用するときにスプール３２の回転によってフイルム４０を出入口４２からカートリッジ３０の外部へ送り出すタイプのものである。
【００１３】
また、図３に於いてカートリッジ３０の胴体部３６の端面（基準面３４と反対側の端面）４４には、カートリッジ３０に収納されたフイルム４０の使用状況を示す４種類の形の異なるマーク（開口部）４６、４８、５０、５２が同心円状に所定の間隔で一体成形されている。これらの開口部４６〜５２の内側には、開口部４６〜５２のうちいずれか一つの開口部に位置する図示しない白色プレートがスプール３２を中心に回転自在に設けられている。この白色プレートが、例えば円形の開口部４６に位置していると、この開口部４６が白色表示されて、未使用のフイルム４０が収納されたカートリッジ３０と識別される。また、前記白色プレートが半円形の開口部４８に位置していると、開口部４８が白色表示されて途中使用のカートリッジ３０と識別される。白色プレートが×字状の開口部５０に位置していると、開口部５０が白色表示されて撮影済みのカートリッジ３０と識別される。白色プレートが矩形状の開口部５２に位置していると、開口部５２が白色表示されて現像済みのカートリッジ３０と外部から識別される。
【００１４】
前記フイルム４０は図４に示すように、コマ画像５４の終端を示すパーフォレーション５６がコマ画像５４の枠外の上部にコマ毎に形成され、また、前記パーフォレーション５６の近傍には磁気記録層５８が形成されている。更に、コマ画像５４の枠外の下部にも磁気記録層５８が形成されている。この磁気記録層５８、５８には、そのコマ画像５４の撮影日時、標準、ハイビジョン、パノラマを示す撮影サイズ、シャッター速度、Ｆ値、ストロボＯＮ／ＯＦＦ、ロールタイトル、コマタイトル等の情報が撮影時に磁気記録されている。
【００１５】
一方、コマ画像５４の枠外の上部には光学データ６０が形成される。この光学データ６０は、フイルム４０のコマ番号を示す数字である。また、コマ画像５４の枠外の下部には光学データ６２が形成され、この光学データ６２はフイルム４０のＩＳＯレンジを示す数字（例えば、４００）である。
前記カートリッジ３０には図３に示すように、端面４４に爪６４が設けられている。前記爪６４は、該カートリッジ３０に収納されたフイルム４０が現像済みか未現像かを示するもので、現像済みである場合には、ラボ等で折られ取り除かれてユーザーに返却される。
【００１６】
図１〜図３に於いて上ガバー１４の上面１４Ａには、観察用窓６６が設けられ、また、観察用窓６６に近接して操作パネル６７が設けられる。操作パネル６７には取出しスイッチ６８、情報読込スイッチ７０、表示切換スイッチ７２、送りスイッチ７４、戻しスイッチ７６が配置され、また、この操作パネル６７に近接してＬＣＤ７８が設けられている。
【００１７】
図５は、フイルム観察用ユニット２６の構造とフイルムビューア１０の制御系を示すブロック図である。
同図に示すようにカートリッジ収納部２８には、カートリッジ３０のスプール３２に係合する回転軸８０を有し、この回転軸８０をモータ駆動するフイルム供給機構が設けられ、また、フイルム供給機構に対向する位置には、フイルム供給機構から供給されるフイルム４０を巻き取る巻取軸８２が設けられている。巻取軸８２にはギヤ８４が固着され、このギヤ８４はクラッチ８６を介してモータ８８に連結されている。前記クラッチ８６は、ギヤ８４に加わるトルク（即ち、フイルム４０の巻き取りトルク）が所定のトルクを越えた時に、ギヤ８４をモータ８８に対して滑らせるもので、フイルム４０を定速で巻取軸８４に巻き取らせるようにしたものである。また、前記モータ８８の駆動力は、図示しないギヤ機構を介して回転軸８０の図示しないギヤにも伝達されるようになっている。
【００１８】
前記ギヤ機構は、スプール３２を回転させてフイルム４０を送り出し、フイルム４０の先端が巻取軸８２に巻き取られるまで回転軸８０側に動力を伝達し、それ以後の巻き取り時には巻取軸８２側のみに動力を伝達するように構成されている。また、ギヤ機構は、フイルム４０のカートリッジ３０への巻き戻し時には、回転軸８０側のみに動力を伝達する。
【００１９】
前記モータ８８は、モータドライバ９０からの駆動信号によって駆動され、またモータドライバ９０はＣＰＵ９２によって、モータ８８に出力する回転方向と回転量とが制御されている。ＣＰＵ９２には、操作パネル６７からの各ボタンの操作に対応した指令信号が出力される。ＣＰＵ９２は、前記指令信号が出力されると、その信号に対応した動作をモータ８８が行うようにモータドライバ９０を制御する。
【００２０】
ところで、カートリッジ３０から引き出されたフイルム４０は、ガイド板９４に沿って搬送され、そして、露光用開口部９６を通過した後、ガイド板９８に沿って巻取軸８２に巻き取られる。ガイド板９４側には、パーフォレーションセンサ１００が設けられる。パーフォレーションセンサ１００は、搬送されてきたフイルム４０のパーフォレーション５６を１コマ毎に検出し、検出した際にＨレベルの検出信号をＣＰＵ９２に出力する。パーフォレーションセンサ１００が、パーフォレーション５６を検出したときに、そのコマ画像５４の前方のコマ画像５４が露光用開口部９６に位置されるようになっている。また、パーフォレーションセンサ１００の近傍には、キャプスタンローラ１０２が配置される。キャプスタンローラ１０２は、前記モータ８８からの回転力が伝達され、カートリッジ３０から引き出されたフイルム４０は、キャプスタンローラ１０２の回転力によって一定速度で搬送される。
【００２１】
また、ガイド板９８には光センサ１０４と磁気ヘッド１０６が並設されている。前記光センサ１０４は、バーコード等の光学データが記録されている場合に該光学データを読み取るものであり、これらの光学データは光学データ読取装置１０８によって再生処理されてＣＰＵ９２のＲＡＭ１１０に記憶される。前記磁気ヘッド１０６は、フイルム４０の磁気記録層５８に記録された磁気情報を読み取るもので、読み取った情報は磁気情報再生装置１１２によって再生されてＣＰＵ９２の前記ＲＡＭ１１０に記憶される。符号１１４は、露光用開口部９６に位置したコマ画像５４をベース面側から照射する光源である。また、符号１１６はアラームであり、このアラーム１１６は、フイルム４０のカートリッジ３０への巻き戻し終了時やフイルム４０の異常搬送時等に電子音が発生するようにＣＰＵ９２により制御されている。ＲＡＭ１１０に記憶された情報は、ＣＰＵ９２により必要時に読みだされ、図１に示したＬＣＤ７８に表示される。
【００２２】
前記光源１１４に照明されたコマ画像５４の画像光は図２に示すように、反射ミラー１１８で上方に９０°反射されることにより画像反転され、そして接眼レンズ１２０、１２２を介して観察用窓６６に導かれる。これにより、観察用窓６６からコマ画像５４を観察することができる。図２上で、符号１２４は光源１１４の交換時に開閉されるランプカバーである。
【００２３】
次に、図１に示した内蓋２２と外蓋２４との連結構造について説明する。図６に示すように、前記内蓋２２と外蓋２４とは矩形状のプラスチック板であり、内蓋２２よりも外蓋２４が若干大きめに形成されている。
前記内蓋２２は、基端部に形成されたピン１３０、１３０を図１に示したカートリッジ収納部２８の図示しない孔部に係合させることによりカートリッジ収納部２８に開閉自在に取り付けられる。また、内蓋２２は、カートリッジ収納部２８との間に設けられたスプリング１３１（図９参照）の付勢力によって開方向に付勢されている。更に、内蓋２２の下面には、閉時にカートリッジ３０のスプール３２に挿入されるピン１３２と、カートリッジ３０の爪６４の有無を検出するピン１３４とが並設されている。前記ピン１３４は、図中点線で示すスプリング１３６の付勢力によって突出方向に付勢され、前記爪６４がある場合には、閉時に爪６４に当接しカートリッジ３０のフイルム４０が現像されていないことを知らせるようになっている。
【００２４】
また、一対のガイド爪（ガイド部材）１３８、１３８が内蓋２２の上面の先端部に形成される。前記ガイド爪１３８、１３８は、内蓋２２の側方に向けて突出形成されている。
一方、前記外蓋２４は、基端部に形成されたピン１４０、１４０（一方側は図示せず）を図１に示した上カバー開口部１４Ｂの図示しない孔部に係合させることにより上カバー１４に開閉自在に取り付けられる。
【００２５】
また、外蓋２２の下面には、断面Ｌ字状に形成された一対の弾性片１４２、１４２と一対のガイド板（ガイド部材）１４４、１４４とが形成される。前記一対の弾性片１４２、１４２は、内蓋２２のガイド爪１３８、１３８に対応した位置に形成され、弾性片１４２、１４２をガイド爪１３８、１３８に押し付けた際に、その押圧力により開方向に弾性変形して図７（Ａ）に示すようにガイド爪１３８、１３８に係着される。これにより、内蓋２２と外蓋２４とが係合される。
【００２６】
図６に於いて前記一対のガイド板１４４、１４４は、弾性片１４２、１４２の延長線上に形成される。ガイド板１４４には、その内側に前記ガイド爪１３６の摺動面１４４Ａが形成される。内蓋２２と外蓋２４とが開放されてくると、ガイド爪１３８、１３８は弾性片１４２、１４２に沿って摺動されたのち、ガイド爪１３８、１３８は、ガイド板１４４の摺動面１４４Ａに沿って摺動する。これにより、図７（Ｂ）に示すように内蓋２２と外蓋２４とが連動して開放される。また、内蓋２２と外蓋２４とが閉じられてくると、ガイド爪１３８はガイド板１４４の摺動面１４４Ａに沿って摺動して弾性片１４２の位置に位置する。これにより、図７（Ａ）に示すように内蓋２２と外蓋２４とが連動して閉じる。
【００２７】
このように、本実施の形態のフイルムカートリッジ用出入蓋構造によれば、内蓋２２をフイルム観察用ユニット２６のカートリッジ収納部２８に設け、操作パネルと外観上バランスのとれた外蓋２４を上カバー１４（操作パネル）に設けることにより出入蓋２０を２重構造に構成し、これらの蓋２２、２４をガイド爪１３８とガイド板１４４とで係合したので、連動して開閉させることができる。
【００２８】
また、本実施の形態では、カートリッジ３０の未露光の爪６４を検出するピン１３４を内蓋２２に設けたので、その他の観察装置に併用できない外蓋２４の部品点数を削減することができる。
図８は、本発明に係るフイルム観察装置のフイルムカートリッジ用出入蓋構造が適用されたフイルム画像処理装置１５０と、モニタＴＶ１５２とを示す斜視図である。
【００２９】
前記フイルム画像処理装置１５０は、フイルムのコマ画像をＣＣＤによって撮像し、これを映像信号に変換してモニタＴＶ１５２に出力するものである。モニタＴＶ１５２には、フイルム画像処理装置１５０の操作ボタンを操作することで所望のコマ画像が選択されて表示される。
フイルム画像処理装置１５０の本体ケース１５４内には、フイルム観察用ユニット２６（図９参照）が設けられる。このフイルム観察用ユニット２６は、図２に示したフイルム観察用ユニット２６と略同一の構造なので、その詳細な説明は省略するが、コマ画像の画像光をＣＣＤの受光面に結像させるレンズを有している。
【００３０】
前記本体ケース１５４の前面には、操作パネル１５６が取り付けられている。この操作パネル１５６の表面には、フイルムカートリッジ挿入用の外蓋１５８が開閉自在に取り付けられており、外蓋１５８の左側方には、操作スイッチである電源スイッチ１６０、取出しスイッチ１６２、ズームスイッチ１６４、メニュー選択スイッチ１６６、実行スイッチ１６８、及びセレクトスイッチ１７０が夫々設けられている。
【００３１】
図９は、フイルム観察用ユニット２６側の内蓋２２と、操作パネル１５６側の外蓋１５８との連結前の状態を示す斜視図である。
外蓋１５８は、図６に示したフイルムビューアの外蓋２２と比較して弾性片１４２を有しておらず、一対のガイド板１７２、１７２のみが形成されている。この一対のガイド板１７２、１７２の摺動面１７２Ａ、１７２Ａに、内蓋２２のガイド爪１３８、１３８を係合させる場合には図９に示すように、操作パネル１５６をフイルム観察用ユニット２６から若干離した状態で両方を内蓋２２、外蓋２４とを開放させる。そして、内蓋２２を外蓋１５８上に重ね合わせた状態で、操作パネル１５６を図中矢印で示す方向（操作パネル１５６の取り付け方向）にスライドさせる。これにより、ガイド爪１３８、１３８とガイド板１７２、１７２とが係合し内蓋２２と外蓋１５８とが連結される。従って、ガイド爪１３８、１３８とガイド板１７２、１７２とが相対的に摺動することにより、内蓋２２と外蓋１５８とが連動して開閉する。
【００３２】
このように、フイルム画像処理装置１５０のフイルムカートリッジ用出入蓋構造においても、内蓋２２と外蓋１５８とを連動して開閉させることができる。
【００３３】
【発明の効果】
以上説明したように本発明に係るフイルム観察装置のフイルムカートリッジ用出入蓋構造によれば、内蓋をフイルム観察用ユニットのカートリッジ収納部に設け、外蓋を操作パネルに設けることにより出入蓋を２重構造に構成し、内蓋と外蓋とを第１のガイド部材と第２のガイド部材とを介して着脱自在に係合し、この係合部同士を係合状態で相対的に摺動可能に形成したので、内蓋と外蓋とを連動して開閉させることができる。
【図面の簡単な説明】
【図１】本発明に係るフイルム観察装置のフイルムカートリッジ用出入蓋構造が適用されたフイルムビューアの実施の形態を示す斜視図。
【図２】図１に示したフイルムビューアの分解斜視図。
【図３】本発明に適用されるカートリッジの斜視図。
【図４】カートリッジ及びフイルムの説明図。
【図５】図１に示したフイルムビューアの制御系を示すブロック図。
【図６】図１のフイルムビューアに適用されたフイルムカートリッジ用出入蓋の組立斜視図
【図７】図６に示した出入蓋の動作説明図
【図８】本発明に係るフイルム観察装置のフイルムカートリッジ用出入蓋構造が適用されたフイルム画像処理装置の斜視図
【図９】図８のフイルム画像処理装置に適用されたフイルムカートリッジ用出入蓋の組立斜視図
【符号の説明】
１０…フイルムビューア
１４…上カバー
２０…蓋
２２…内蓋
２４、１５８…外蓋
２６…フイルム観察用ユニット
２８…カートリッジ収納部
３０…カートリッジ
４０…フイルム
５４…コマ画像
１３８…ガイド爪
１４４、１７２…ガイド板
１５０…フイルム画像処理装置
１５６…操作パネル
【図１】
0003712016.tif 000002
【図２】
0003712016.tif 000003
【図３】
0003712016.tif 000004
【図４】
0003712016.tif 000005
【図５】
0003712016.tif 000006
【図６】
0003712016.tif 000007
【図７】
0003712016.tif 000008
【図８】
0003712016.tif 000009
【図９】
0003712016.tif 000010